(57)【要約】【課題】国情報を的確に設定する。【解決手段】デジタル放送受信機のＭＰＵ１１は、ＵＨＦ帯に含まれ、予め周波数帯域が設定された物理チャンネルであるＵＨＦチャンネル毎に、受信部１４を介して、それぞれ対応する周波数帯域のテレビジョン放送の受信可否を判定する受信可否判定部１１１と、受信可能であると判定された場合に、受信部１４を介して、ＵＨＦチャンネル毎に、対応するテレビジョン放送が対象とする視聴者の居住する国の国名を識別する国名識別情報を取得する国名取得部１１２と、取得された国名識別情報の中から、最も多く取得された国名識別情報である最多国名情報を判定する国名判定部１１３と、判定された最多国名情報を、デジタル放送受信機が配設された国に対応する国名識別情報として設定する国名設定部１１４と、を備えている。【選択図】図２
2009044552.tif 000002
【特許請求の範囲】
【請求項１】
デジタル方式のテレビジョン放送を受信し、受信した映像情報をモニタに表示可能に接続されたデジタル放送受信装置であって、
予め設定された周波数帯域のテレビジョン放送を受信する受信手段と、
ＵＨＦ（Ｕｌｔｒａ  Ｈｉｇｈ  Ｆｒｅｑｕｅｎｃｙ）帯に含まれ、予め周波数帯域が設定された物理チャンネルであるＵＨＦチャンネル毎に、前記受信手段を介して、それぞれ対応する周波数帯域のテレビジョン放送の受信可否を判定する受信可否判定手段と、
前記受信可否判定手段によって受信可能であると判定された場合に、前記受信手段を介して、前記ＵＨＦチャンネル毎に、対応するテレビジョン放送が対象とする視聴者の居住する国の国名を識別する国名識別情報を取得する国名取得手段と、
前記国名取得手段によって取得された国名識別情報の中から、最も多く取得された国名識別情報である最多国名情報を判定する国名判定手段と、
前記国名判定手段によって判定された最多国名情報を、該デジタル放送受信装置が配設された国に対応する国名識別情報として設定する国名設定手段と、
を備えることを特徴とするデジタル放送受信装置。
【請求項２】
前記国名取得手段は、国毎の標準時を規定するテーブルであるＴＯＴ（Ｔｉｍｅ  Ｏｆｆｓｅｔ  Ｔａｂｌｅ）情報に含まれる国コード（ｃｏｕｎｔｒｙ＿ｃｏｄｅ）情報に基づいて、前記国名識別情報を取得することを特徴とする請求項１に記載のデジタル放送受信装置。
【請求項３】
前記国名取得手段は、１のＵＨＦチャンネルに、ユーザによって選択されるチャンネル番号に対応する論理チャンネル（ＬＣＮ：Ｌｏｇｉｃａｌ  Ｃｈａｎｎｅｌ  Ｎｕｍｂｅｒ）が複数個だけ含まれる場合には、論理チャンネル毎に、前記国名識別情報を取得することを特徴とする請求項１又は請求項２に記載のデジタル放送受信装置。
【請求項４】
受信可能なテレビジョン放送に対応するチャンネル番号情報を格納するチャンネル記憶手段と、
複数の国名識別情報にそれぞれ対応付けてＶＨＦ（Ｖｅｒｙ  Ｈｉｇｈ  Ｆｒｅｑｕｅｎｃｙ）帯に含まれる周波数帯域情報を予め格納する周波数記憶手段と、
前記国名設定手段によって設定された国名識別情報に対応するＶＨＦ帯に含まれる周波数帯域を、前記周波数記憶手段から読み出すことによって、ＶＨＦ帯に含まれる周波数帯域を設定する帯域設定手段と、
を備え、
前記受信可否判定手段は、前記帯域設定手段によって設定された周波数帯域に対応する物理チャンネルであるＶＨＦチャンネル毎に、前記受信手段を介して、それぞれ対応する周波数帯域のテレビジョン放送の受信可否を判定すると共に、受信可能であると判定されたＶＨＦチャンネルに対応するチャンネル番号情報を前記チャンネル記憶手段に記録することを特徴とする請求項１〜請求項３のいずれかに記載のデジタル放送受信装置。
【請求項５】
前記受信手段は、アナログ方式のテレビジョン放送を受信可能に構成され、
前記周波数記憶手段は、複数の国名識別情報にそれぞれ対応付けてアナログ放送の周波数帯域情報を予め格納し、
前記帯域設定手段は、前記国名設定手段によって設定された国名識別情報に対応するアナログ放送の周波数帯域を、前記周波数記憶手段から読み出すことによって、アナログ放送の周波数帯域を設定し、
前記受信可否判定手段は、前記帯域設定手段によって設定されたアナログ放送の周波数帯域毎に、前記受信手段を介して、それぞれ対応する周波数帯域のアナログ放送の受信可否を判定すると共に、受信可能であると判定された周波数帯域に対応するチャンネル番号情報を前記チャンネル記憶手段に記録することを特徴とする請求項１〜請求項４のいずれかに記載のデジタル放送受信装置。
【請求項６】
前記受信可否判定手段は、
前記受信手段を介してデジタル放送を受信する場合には、前記受信手段を介して受信される放送波のビットエラーレート（ＢＥＲ：Ｂｉｔ  Ｅｒｒｏｒ  Ｒａｔｅ）が、予め設定された所定の閾値以下である場合に、受信可能であると判定し、
前記受信手段を介してアナログ放送を受信する場合には、前記受信手段を介して受信される放送波の強度が、予め設定された所定の閾値以上である場合に、受信可能であると判定することを特徴とする請求項５に記載のデジタル放送受信装置。
【発明の詳細な説明】
【技術分野】
【０００１】
本発明は、デジタル方式のテレビジョン放送を受信し、受信した映像情報をモニタに表示可能に接続されたデジタル放送受信装置に関する。
【背景技術】
【０００２】
テレビジョン放送を受信し、外部から視認可能にモニタに出力可能に構成された放送受信装置では、受信周波数を、例えば低い方から高い方へとスキャンしていき、テレビ放送の受信ができたチャンネルをプリセットチャンネルとして内部メモリに登録するチャンネルプリセット機能を有している。
【０００３】
上記チャンネルプリセットを効率的に行うために、種々の装置、方法等が提案されている。例えば、ユーザがリモートコマンダーもしくはキー入力回路から国情報と言語情報を入力すると、マイクロプロセッサは第３のメモリに格納されている、国や言語とサーチするフォーマットの優先順位との対応関係を参照し、その優先順位にしたがって放送局コードをサーチする選局装置が開示されている（特許文献１参照）。
【特許文献１】特開平８−１９５９１４号公報
【発明の開示】
【発明が解決しようとする課題】
【０００４】
しかしながら、上記選局装置等を備える従来の放送受信装置では、チャンネルプリセット等を行うために、ユーザが予め国情報等を設定する必要があり、操作が煩雑な場合があった。
【０００５】
本発明は、上記課題に鑑みてなされたものであって、国情報を的確に設定することの可能なデジタル放送受信装置を提供することを目的としている。
【課題を解決するための手段】
【０００６】
上記目的を達成するために請求項１に記載のデジタル放送受信装置は、デジタル方式のテレビジョン放送を受信し、受信した映像情報をモニタに表示可能に接続されたデジタル放送受信装置であって、予め設定された周波数帯域のテレビジョン放送を受信する受信手段と、ＵＨＦ（Ｕｌｔｒａ  Ｈｉｇｈ  Ｆｒｅｑｕｅｎｃｙ）帯に含まれ、予め周波数帯域が設定された物理チャンネルであるＵＨＦチャンネル毎に、前記受信手段を介して、それぞれ対応する周波数帯域のテレビジョン放送の受信可否を判定する受信可否判定手段と、前記受信可否判定手段によって受信可能であると判定された場合に、前記受信手段を介して、前記ＵＨＦチャンネル毎に、対応するテレビジョン放送が対象とする視聴者の居住する国の国名を識別する国名識別情報を取得する国名取得手段と、前記国名取得手段によって取得された国名識別情報の中から、最も多く取得された国名識別情報である最多国名情報を判定する国名判定手段と、前記国名判定手段によって判定された最多国名情報を、該デジタル放送受信装置が配設された国に対応する国名識別情報として設定する国名設定手段と、を備えることを特徴としている。
【０００７】
請求項２に記載のデジタル放送受信装置は、請求項１に記載のデジタル放送受信装置であって、前記国名取得手段が、国毎の標準時を規定するテーブルであるＴＯＴ（Ｔｉｍｅ  Ｏｆｆｓｅｔ  Ｔａｂｌｅ）情報に含まれる国コード（ｃｏｕｎｔｒｙ＿ｃｏｄｅ）情報に基づいて、前記国名識別情報を取得することを特徴としている。
【０００８】
請求項３に記載のデジタル放送受信装置は、請求項１又は請求項２に記載のデジタル放送受信装置であって、前記国名取得手段が、１のＵＨＦチャンネルに、ユーザによって選択されるチャンネル番号に対応する論理チャンネル（ＬＣＮ：Ｌｏｇｉｃａｌ  Ｃｈａｎｎｅｌ  Ｎｕｍｂｅｒ）が複数個だけ含まれる場合には、論理チャンネル毎に、前記国名識別情報を取得することを特徴としている。
【０００９】
請求項４に記載のデジタル放送受信装置は、請求項１〜請求項３のいずれかに記載のデジタル放送受信装置であって、受信可能なテレビジョン放送に対応するチャンネル番号情報を格納するチャンネル記憶手段と、複数の国名識別情報にそれぞれ対応付けてＶＨＦ（Ｖｅｒｙ  Ｈｉｇｈ  Ｆｒｅｑｕｅｎｃｙ）帯に含まれる周波数帯域情報を予め格納する周波数記憶手段と、前記国名設定手段によって設定された国名識別情報に対応するＶＨＦ帯に含まれる周波数帯域を、前記周波数記憶手段から読み出すことによって、ＶＨＦ帯に含まれる周波数帯域を設定する帯域設定手段と、を備え、前記受信可否判定手段が、前記帯域設定手段によって設定された周波数帯域に対応する物理チャンネルであるＶＨＦチャンネル毎に、前記受信手段を介して、それぞれ対応する周波数帯域のテレビジョン放送の受信可否を判定すると共に、受信可能であると判定されたＶＨＦチャンネルに対応するチャンネル番号情報を前記チャンネル記憶手段に記録することを特徴としている。
【００１０】
請求項５に記載のデジタル放送受信装置は、請求項１〜請求項４のいずれかに記載のデジタル放送受信装置であって、前記受信手段が、アナログ方式のテレビジョン放送を受信可能に構成され、前記周波数記憶手段が、複数の国名識別情報にそれぞれ対応付けてアナログ放送の周波数帯域情報を予め格納し、前記帯域設定手段が、前記国名設定手段によって設定された国名識別情報に対応するアナログ放送の周波数帯域を、前記周波数記憶手段から読み出すことによって、アナログ放送の周波数帯域を設定し、前記受信可否判定手段が、前記帯域設定手段によって設定されたアナログ放送の周波数帯域毎に、前記受信手段を介して、それぞれ対応する周波数帯域のアナログ放送の受信可否を判定すると共に、受信可能であると判定された周波数帯域に対応するチャンネル番号情報を前記チャンネル記憶手段に記録することを特徴としている。
【００１１】
請求項６に記載のデジタル放送受信装置は、請求項５に記載のデジタル放送受信装置であって、前記受信可否判定手段が、前記受信手段を介してデジタル放送を受信する場合には、前記受信手段を介して受信される放送波のビットエラーレート（ＢＥＲ：Ｂｉｔ  Ｅｒｒｏｒ  Ｒａｔｅ）が、予め設定された所定の閾値以下である場合に、受信可能であると判定し、前記受信手段を介してアナログ放送を受信する場合には、前記受信手段を介して受信される放送波の強度が、予め設定された所定の閾値以上である場合に、受信可能であると判定することを特徴としている。
【発明の効果】
【００１２】
請求項１に記載のデジタル放送受信装置によれば、ＵＨＦ帯に含まれ、予め周波数帯域が設定された物理チャンネルであるＵＨＦチャンネル毎に、受信手段を介して、それぞれ対応する周波数帯域のテレビジョン放送の受信可否が判定され、受信可能であると判定された場合に、受信手段を介して、ＵＨＦチャンネル毎に、対応するテレビジョン放送が対象とする視聴者の居住する国の国名を識別する国名識別情報が取得される。そして、取得された国名識別情報の中から、最も多く取得された国名識別情報である最多国名情報が判定され、判定された最多国名情報が、該デジタル放送受信装置が配設された国に対応する国名識別情報として設定されるため、国情報を的確に設定することができる。
【００１３】
すなわち、ＵＨＦ帯に含まれ、予め周波数帯域が設定された物理チャンネルであるＵＨＦチャンネルは、欧州の各国で同一の周波数帯域に設定されているため、ＵＨＦチャンネル毎に、テレビジョン放送の受信可否が判定され、受信可能であると判定された場合に、受信手段を介して、ＵＨＦチャンネル毎に、対応するテレビジョン放送が対象とする視聴者の居住する国の国名を識別する国名識別情報が取得され、取得された国名識別情報の中から、最も多く取得された国名識別情報である最多国名情報が、該デジタル放送受信装置が配設された国に対応する国名識別情報として設定されるので、ユーザが国情報を設定する必要はなく、国情報を的確に設定することができるのである。
【００１４】
つまり、例えば、特に国境に隣接する地域（例えば、フランスとドイツとの国境に隣接する地域）では、複数種類の国名識別情報（ここでは、フランスに対応する国名識別情報と、ドイツに対応する国名識別情報と）を有するテレビジョン放送が受信される場合があるが、最も多く取得された国名識別情報である最多国名情報が、該デジタル放送受信装置が配設された国に対応する国名識別情報として設定されるので、国情報を的確に設定することができるのである。
【００１５】
請求項２に記載のデジタル放送受信装置によれば、国毎の標準時を規定するテーブルであるＴＯＴ情報に含まれる国コード情報に基づいて、国名識別情報が取得されるため、国情報を更に的確に設定することができる。
【００１６】
すなわち、欧州のデジタル放送規格であるＥＴＳＩ（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）において規定されているように、国毎の標準時を規定するテーブルであるＴＯＴ（Ｔｉｍｅ  Ｏｆｆｓｅｔ  Ｔａｂｌｅ）情報には、オフセット時間を示す記述子（Ｌｏｃａｌ  ｔｉｍｅ  ｏｆｆｓｅｔ  ｄｅｓｃｒｉｐｔｏｒ）に国コード（ｃｏｕｎｔｒｙ＿ｃｏｄｅ）情報が含まれている（ＥＴＳＩ  ＥＮ  ３００  ４６８  Ｖ１．７．１（２００６−０５）参照）ため、ＴＯＴ情報に含まれる国コード情報に基づいて、国名識別情報が取得されるので、国情報を更に的確に設定することができるのである。
【００１７】
請求項３に記載のデジタル放送受信装置によれば、１のＵＨＦチャンネルに、ユーザによって選択されるチャンネル番号に対応する論理チャンネル（ＬＣＮ：Ｌｏｇｉｃａｌ  Ｃｈａｎｎｅｌ  Ｎｕｍｂｅｒ）が複数個だけ含まれる場合には、論理チャンネル毎に、国名識別情報が取得されるため、国情報を更に的確に設定することができる。
【００１８】
請求項４に記載のデジタル放送受信装置によれば、複数の国名識別情報にそれぞれ対応付けてＶＨＦ（Ｖｅｒｙ  Ｈｉｇｈ  Ｆｒｅｑｕｅｎｃｙ）帯に含まれる周波数帯域情報が周波数記憶手段に予め格納されており、設定された国名識別情報に対応するＶＨＦ帯に含まれる周波数帯域を周波数記憶手段から読み出すことによって、ＶＨＦ帯に含まれる周波数帯域が設定される。そして、設定された周波数帯域に対応する物理チャンネルであるＶＨＦチャンネル毎に、受信手段を介して、それぞれ対応する周波数帯域のテレビジョン放送の受信可否が判定されると共に、受信可能であると判定されたＶＨＦチャンネルに対応するチャンネル番号情報が、受信可能なテレビジョン放送に対応するチャンネル番号情報を格納するチャンネル記憶手段に記録されるため、受信可能なＶＨＦ帯に含まれる周波数帯域に対応するテレビジョン放送のチャンネル番号情報を的確に記録することができる。
【００１９】
すなわち、的確に設定された国名識別情報に対応するＶＨＦ帯に含まれる周波数帯域が設定され、設定された周波数帯域に対応する物理チャンネルであるＶＨＦチャンネル毎に、受信手段を介して、それぞれ対応する周波数帯域のテレビジョン放送の受信可否が判定されると共に、受信可能であると判定されたＶＨＦチャンネルに対応するチャンネル番号情報が、受信可能なテレビジョン放送に対応するチャンネル番号情報を格納するチャンネル記憶手段に記録されるため、ＶＨＦ帯に含まれる周波数帯域のテレビジョン放送のチャンネル番号情報を的確に記録することができるのである。
【００２０】
つまり、例えば、特に国境に隣接する地域（例えば、フランスとドイツとの国境に隣接する地域）では、複数種類の国名識別情報（ここでは、フランスに対応する国名識別情報と、ドイツに対応する国名識別情報と）を有するテレビジョン放送が受信される場合があるが、的確に設定された国名識別情報に対応するＶＨＦ帯に含まれる周波数帯域が設定されるため、ＶＨＦチャンネルの周波数帯域が国毎に相違する場合であっても、的確なＶＨＦチャンネルの周波数帯域を設定することができるので、ＶＨＦ帯に含まれる周波数帯域のテレビジョン放送のチャンネル番号情報を的確に記録することができるのである。
【００２１】
請求項５に記載のデジタル放送受信装置によれば、受信手段が、アナログ方式のテレビジョン放送を受信可能に構成され、周波数記憶手段に、複数の国名識別情報にそれぞれ対応付けてアナログ放送の周波数帯域情報が予め格納されている。そして、設定された国名識別情報に対応するアナログ放送の周波数帯域を、周波数記憶手段から読み出すことによって、アナログ放送の周波数帯域が設定され、設定されたアナログ放送の周波数帯域毎に、受信手段を介して、それぞれ対応する周波数帯域のアナログ放送の受信可否が判定されると共に、受信可能であると判定された周波数帯域に対応するチャンネル番号情報がチャンネル記憶手段に記録されるため、アナログ放送のチャンネル番号情報を的確に記録することができる。
【００２２】
すなわち、的確に設定された国名識別情報に対応するアナログ放送の周波数帯域が設定され、設定された周波数帯域毎に、受信手段を介して、それぞれ対応する周波数帯域のテレビジョン放送の受信可否が判定されると共に、受信可能であると判定されたアナログ放送に対応するチャンネル番号情報が、受信可能なテレビジョン放送に対応するチャンネル番号情報を格納するチャンネル記憶手段に記録されるため、アナログ放送のテレビジョン放送のチャンネル番号情報を的確に記録することができるのである。
【００２３】
つまり、例えば、特に国境に隣接する地域（例えば、フランスとドイツとの国境に隣接する地域）では、複数種類の国名識別情報（ここでは、フランスに対応する国名識別情報と、ドイツに対応する国名識別情報と）を有するテレビジョン放送が受信される場合があるが、的確に設定された国名識別情報に対応するアナログ放送の周波数帯域が設定されるため、アナログ放送の周波数帯域が国毎に相違する場合であっても、的確なアナログ放送の周波数帯域を設定することができるので、アナログ放送のテレビジョン放送のチャンネル番号情報を的確に記録することができるのである。
【００２４】
請求項６に記載のデジタル放送受信装置によれば、受信手段を介してデジタル放送を受信する場合には、受信手段を介して受信される放送波のビットエラーレート（ＢＥＲ：Ｂｉｔ  Ｅｒｒｏｒ  Ｒａｔｅ）が、予め設定された所定の閾値以下である場合に、受信可能であると判定され、受信手段を介してアナログ放送を受信する場合には、受信手段を介して受信される放送波の強度が、予め設定された所定の閾値以上である場合に、受信可能であると判定されるため、的確に受信可否を判定することができる。
【発明を実施するための最良の形態】
【００２５】
以下に本発明の実施形態を、図面を参照しながら説明する。図１は、本発明に係るデジタル放送受信機１の構成の一例を示すブロック図である。デジタル放送受信機１（デジタル放送受信装置に相当する）は、リモートコントローラ（＝Ｒｅｍｏｔｅｃｏｎｔｒｏｌｌｅｒ：以下、「リモコン」という）２と赤外線通信を介して通信可能に接続されている。
【００２６】
デジタル放送受信機１は、リモコン２を介してユーザからの操作入力を受け付けて、テレビジョン放送を受信し、ディスプレイ１７３及びスピーカ１５３に、それぞれ映像及び音声を出力するものであって、ＭＰＵ１１、ＲＡＭ１２、ＲＯＭ１３、受信部１４、音声出力部１５、ＭＰＥＧ２デコード部１６、画像出力部１７、及び、赤外線通信部１８を備えている。
【００２７】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２８】
受信部１４（受信手段に相当する）は、テレビジョン放送を受信して復調するものであって、アンテナ部１４１、チューナ部１４２、Ａ／Ｄ変換部１４３、復調部１４４、及び、ＴＳデマルチプレクサ１４５を備えている。
【００２９】
アンテナ部１４１は、テレビジョン放送波を受信するものである。チューナ部１４２は、アンテナ部１４１で受信されたテレビジョン放送波から、予め設定されたチャンネルの放送を選局するものである。Ａ／Ｄ変換部１４３は、チューナ部１４２からの出力信号（＝アナログ信号）をデジタル情報に変換するものである。復調部１４４は、Ａ／Ｄ変換部１４３からの出力情報を復調するものである。ＴＳ（Ｔｒａｎｓｐｏｒｔ  Ｓｔｒｅａｍ）デマルチプレクサ１４５は、復調部１４４によって復調された出力情報を種別毎に分離して出力するものである。
【００３０】
音声出力部１５は、受信部１４によって受信されたテレビジョン放送に対応する音声を出力するものであって、Ｄ／Ａ変換部１５１、音声信号出力部１５２、及び、スピーカ１５３を備えている。Ｄ／Ａ変換部１５１は、ＴＳデマルチプレクサ１４５から出力された音声情報（＝デジタル情報）をアナログ信号に変換するものである。音声信号出力部１５２は、Ｄ／Ａ変換部１５１によってアナログ信号に変換された音声信号を出力するものである。スピーカ１５３は、音声信号出力部１５２から出力された音声信号に対応する音声を出力するものである。
【００３１】
ＭＰＥＧ（Ｍｏｔｉｏｎ  Ｐｉｃｔｕｒｅ  Ｅｘｐｅｒｔｓ  Ｇｒｏｕｐ）２デコード部１６は、ＴＳデマルチプレクサ１４５から出力された映像情報を圧縮前の映像情報に復号化するものである。
【００３２】
画像出力部１７は、ＭＰＥＧ２デコード部１６によって復号化された映像情報を出力するものであって、ＮＴＳＣエンコード部１７１、映像信号出力部１７２、及び、ディスプレイ１７３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１７１は、ＭＰＥＧ２デコード部１６によって復号化された映像情報をＮＴＳＣ方式のテレビジョン信号に変換するものである。映像信号出力部１７２は、ＮＴＳＣエンコード部１７１から出力されたＮＴＳＣ方式のテレビジョン信号をディスプレイ１７３に対して出力するものである。ディスプレイ１７３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１７２から出力されたテレビジョン信号に対応する映像を表示するものである。
【００３３】
赤外線通信部１８は、リモコン２からの電源のＯＮ、ＯＦＦ操作、選局、デジタル放送受信機１の各種設定等の各種操作を受け付けるものである。
【００３４】
次に、デジタル放送受信機１が放送を受信する場合の動作について説明する。まず、送信されてきたデジタル放送波がアンテナ部１４１で受信される。リモコン２を介して選局操作が受け付けられた場合には、チューナ部１４２によって受信するトランスポンダ（Ｔｒａｎｓｐｏｎｄｅｒ）の切り換えが行われる。受信されたデジタル放送波は、Ａ／Ｄ変換部１４３によりデジタル情報に変換され、復調部１４４によって復調される。
【００３５】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等からなり、これらの情報がＴＳデマルチプレクサ１４５によって、分離して出力され、ＲＡＭ１２に格納される。そして、ＲＡＭ１２から読み出された音声情報がＤ／Ａ変換部１５１によってアナログ信号に変換され、音声信号出力部１５２を介してスピーカ１５３から音声が出力される。
【００３６】
また、ＲＡＭ１２から読み出された映像情報がＭＰＥＧ２デコード部１６によって圧縮前の映像情報に復号化され、ＮＴＳＣエンコード部１７１によってＮＴＳＣ方式のテレビジョン信号に変換されて、映像信号出力部１７２を介してディスプレイ１７３に映像が表示される。
【００３７】
図２は、本発明に係るデジタル放送受信機１における主要部の構成の一例を示すブロック図である。ＭＰＵ１１は、機能的に、受信可否判定部１１１、国名取得部１１２、国名判定部１１３、国名設定部１１４、及び、帯域設定部１１５を備え、ＲＡＭ１２は、機能的に、周波数記憶部１２１、チャンネル記憶部１２２、国名記憶部１２３、及び、最多国名記憶部１２４を備えている。
【００３８】
ここでは、ＭＰＵ１１が、図１に示すＲＯＭ１３等に予め格納された制御プログラムを読み出して実行することにより、受信可否判定部１１１、国名取得部１１２、国名判定部１１３、国名設定部１１４、帯域設定部１１５等の機能部として機能すると共に、ＲＡＭ１２を、周波数記憶部１２１、チャンネル記憶部１２２、国名記憶部１２３、最多国名記憶部１２４等の機能部として機能させるものである。
【００３９】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００４０】
周波数記憶部１２１（周波数記憶手段に相当する）は、複数の国名識別情報にそれぞれ対応付けてＶＨＦ帯に含まれる周波数帯域情報を予め格納するものである。また、周波数記憶部１２１は、ＵＨＦ帯に含まれる周波数帯域情報を予め格納するものである。なお、周波数記憶部１２１に格納された周波数帯域情報は、受信可否判定部１１１、及び、帯域設定部１１５によって読み出されるものである。
【００４１】
図３は、周波数記憶部１２１に格納された周波数帯域情報の一例を示す図表である。各図表の左側が、チャンネル番号であり、右側が、周波数帯域の中心周波数である。（ａ）は、欧州各国のＵＨＦ帯に含まれる周波数帯域情報であり、（ｂ）は、フランスにおけるＶＨＦ帯（＝対象とする視聴者の居住する国の国名がフランスであるＶＨＦ帯のテレビジョン放送）に含まれる周波数帯域情報であり、（ｃ）は、ドイツにおけるＶＨＦ帯（＝対象とする視聴者の居住する国の国名がドイツであるＶＨＦ帯のテレビジョン放送）に含まれる周波数帯域情報である。
【００４２】
例えば、欧州各国のＵＨＦ帯に含まれるチャンネル番号「２１」、「２２」の中心周波数は、それぞれ、「４７４ＭＨｚ」、「４８２ＭＨｚ」である。また、フランスにおけるＶＨＦ帯に含まれるチャンネル番号「５」、「６」の中心周波数は、それぞれ、「１７８．７５ＭＨｚ」、「１８６．７５ＭＨｚ」であり、ドイツにおけるＶＨＦ帯に含まれるチャンネル番号「５」、「６」の中心周波数は、それぞれ、「１７７．５ＭＨｚ」、「１８４．５ＭＨｚ」である。このように、ＵＨＦ帯に含まれる中心周波数は、フランスとドイツとにおいて相違しているため、ＵＨＦ帯に含まれるテレビジョン放送を受信するためには、国名を設定する必要がある。
【００４３】
再び、図２を用いて、本発明の機能構成について説明する。チャンネル記憶部１２２（チャンネル記憶手段に相当する）は、受信可能なテレビジョン放送に対応するチャンネル番号情報（いわゆる、「チャンネルリスト」）を格納するものである。チャンネル記憶部１２２に格納されるチャンネル番号情報は、受信可否判定部１１１によって記録される（＝書き込まれる）ものである。
【００４４】
国名記憶部１２３（国名判定手段の一部に相当する）は、国名取得部１１２によって取得された国名識別情報を、国名取得部１１２によって取得された回数を示す回数情報と対応付けて格納するものである。国名記憶部１２３に格納された国名識別情報及び回数情報は、国名判定部１１３によって読み出されるものである。
【００４５】
最多国名記憶部１２４（帯域設定手段の一部に相当する）は、国名判定部１１３によって、最も多く取得された国名識別情報である最多国名情報と判定された国名識別情報を格納するものである。最多国名記憶部１２４に格納された国名識別情報は、国名判定部１１３によって記録され（＝書き込まれ）、国名設定部１１４及び帯域設定部１１５によって読み出されるものである。
【００４６】
受信可否判定部１１１（受信可否判定手段に相当する）は、ＵＨＦ帯に含まれ、周波数記憶部１２１に周波数帯域が格納された物理チャンネルであるＵＨＦチャンネル毎に、受信部１４を介して、それぞれ対応する周波数帯域のテレビジョン放送の受信可否を判定すると共に、受信可能であると判定されたチャンネル番号情報を、チャンネル記憶部１２２に記録する（＝書き込む）ものである。
【００４７】
また、受信可否判定部１１１は、帯域設定部１１５によって設定された周波数帯域に対応する物理チャンネルであるＶＨＦチャンネル毎に、受信部１４を介して、それぞれ対応する周波数帯域のテレビジョン放送の受信可否を判定すると共に、受信可能であると判定されたＶＨＦチャンネルに対応するチャンネル番号情報をチャンネル記憶部１２２に記録する（＝書き込む）ものである。
【００４８】
なお、受信可否判定部１１１は、受信部１４を介して受信される放送波のビットエラーレート（ＢＥＲ：Ｂｉｔ  Ｅｒｒｏｒ  Ｒａｔｅ）が、予め設定された所定の閾値（例えば、１０-7）以下である場合に、受信可能であると判定するものである。
【００４９】
国名取得部１１２（国名取得手段に相当する）は、受信可否判定部１１１によって受信可能であると判定された場合に、受信部１４を介して、ＵＨＦチャンネル毎に、対応するテレビジョン放送が対象とする視聴者の居住する国の国名を識別する国名識別情報を取得し、国名記憶部１２３に書き込むものである。
【００５０】
具体的には、国名取得部１１２は、受信部１４を介して受信されるＴＳ（Ｔｒａｎｓｐｏｒｔ  Ｓｔｒｅａｍ）内の国毎の標準時を規定するテーブルであるＴＯＴ（Ｔｉｍｅ  Ｏｆｆｓｅｔ  Ｔａｂｌｅ）情報に含まれる国コード（ｃｏｕｎｔｒｙ＿ｃｏｄｅ）情報に基づいて、国名識別情報を取得し（ＥＴＳＩ  ＥＮ  ３００  ４６８  Ｖ１．７．１（２００６−０５）参照）、国名記憶部１２３に書き込むものである。
【００５１】
更に、国名取得部１１２は、１のＵＨＦチャンネルに、ユーザによって選択されるチャンネル番号に対応する論理チャンネル（ＬＣＮ：Ｌｏｇｉｃａｌ  Ｃｈａｎｎｅｌ  Ｎｕｍｂｅｒ）が複数個だけ含まれる場合には、論理チャンネル毎に、国名識別情報を取得し、国名記憶部１２３に書き込むものである。例えば、物理チャンネル番号が「２１」に、論理チャンネル番号が「２」、「４」、「１４」の３個のチャンネルが含まれている場合には、国名取得部１１２は、それぞれの論理チャンネルに対応する国名識別情報を取得し、国名記憶部１２３に書き込むものである。
【００５２】
国名判定部１１３（国名判定手段の一部に相当する）は、国名取得部１１２によって取得された国名識別情報の中から、最も多く取得された国名識別情報である最多国名情報を判定するものである。具体的には、国名判定部１１３、国名記憶部１２３に格納された回数情報の内、最も大きい回数情報に対応する国名識別情報を、最多国名情報であると判定し、最多国名記憶部１２４に格納するものである。
【００５３】
国名設定部１１４（国名設定手段に相当する）は、国名判定部１１３によって判定された最多国名情報を、該デジタル放送受信機１が配設された国に対応する国名識別情報として設定する（＝ＶＨＦチャンネルのチャンネル設定等の各種設定において使用する国名識別情報として設定する）ものである。
【００５４】
帯域設定部１１５（帯域設定手段の一部に相当する）は、国名設定部１１４によって設定された国名識別情報（＝最多国名記憶部１２４に格納された国名識別情報）に対応するＶＨＦ帯に含まれる周波数帯域を、周波数記憶部１２１から読み出すことによって、ＶＨＦ帯に含まれる周波数帯域を設定するものである。
【００５５】
図４、図５は、デジタル放送受信機１（主にＭＰＵ１１）の動作の一例を示すフローチャートである。なお、ここでは、便宜上、周波数記憶部１２１に、ＵＨＦ帯に含まれる複数の周波数帯域情報が予め格納されている（図３（ａ）参照）と共に、複数の国名識別情報にそれぞれ対応付けてＶＨＦ帯に含まれる周波数帯域情報が予め格納されている（図３（ｂ）、（ｃ）参照）場合について説明する。まず、受信可否判定部１１１によって、周波数記憶部１２１に格納されたＵＨＦ帯に含まれる複数の周波数帯域情報の中から、１の周波数帯域情報が読み出される（Ｓ１０１）。
【００５６】
そして、受信可否判定部１１１によって、ステップＳ１０１において読み出された周波数帯域のテレビジョン放送の受信可否が判定される（Ｓ１０３）。テレビジョン放送が受信できないと判定された場合（Ｓ１０３でＮＯ）には、処理がステップＳ１０９に進められる。テレビジョン放送が受信できると判定された場合（Ｓ１０３でＹＥＳ）には、受信可否判定部１１１によって、受信可能であると判定されたテレビジョン放送に対応するチャンネル番号情報がチャンネル記憶部１２２に記録される（Ｓ１０５）。そして、国名取得部１１２によって、国名識別情報が取得され、国名記憶部１２３に書き込まれる（Ｓ１０７）。
【００５７】
そして、国名取得部１１２によって、チャンネル記憶部１２２にステップＳ１０７において取得された国名識別情報が既に国名記憶部１２３に書き込まれている場合には、ステップＳ１０７において取得された国名識別情報に対応する回数情報が１回だけカウントアップされる、国名記憶部１２３に書き込まれる（Ｓ１０９）。ステップＳ１０９の処理が終了した場合、又は、ステップＳ１０３でＮＯの場合には、受信可否判定部１１１によって、周波数記憶部１２１に格納された全てのＵＨＦチャンネルの受信可否が判定されたか否かの判定が行われる（Ｓ１１１）。受信可否が判定されていないＵＨＦチャンネルが有ると判定された場合（Ｓ１１１でＮＯ）には、処理がステップＳ１０１に戻され、ステップＳ１０１において他の周波数帯域情報が読み出され、ステップＳ１０１以降の処理が繰り返し実行される。
【００５８】
全てのＵＨＦチャンネルの受信可否が判定されたと判定された場合（Ｓ１１１でＹＥＳ）には、図５に示すように、国名判定部１１３によって最多国名情報が判定されて、最多国名記憶部１２４に格納され、国名設定部１１４によって、配設された国に対応する国名識別情報として設定される（Ｓ１１３）。次いで、帯域設定部１１５によって、周波数記憶部１２１からステップＳ１１３において設定された国名識別情報に対応するＶＨＦ帯に含まれる１の周波数帯域が読み出される（Ｓ１１５）。
【００５９】
そして、受信可否判定部１１１によって、ステップＳ１１５において読み出された周波数帯域のテレビジョン放送の受信可否が判定される（Ｓ１１７）。テレビジョン放送が受信できないと判定された場合（Ｓ１１７でＮＯ）には、処理がステップＳ１２１に進められる。テレビジョン放送が受信できると判定された場合（Ｓ１１７でＹＥＳ）には、受信可否判定部１１１によってステップＳ１１５において読み出された周波数帯域のＶＨＦチャンネルに対応するチャンネル番号情報がチャンネル記憶部１２２に書き込まれる（Ｓ１１９）。
【００６０】
ステップＳ１１９の処理が終了した場合、又は、ステップＳ１１７でＮＯの場合には、受信可否判定部１１１によって、周波数記憶部１２１に格納された全てのＶＨＦチャンネルの受信可否が判定されたか否かの判定が行われる（Ｓ１２１）。受信可否が判定されていないＶＨＦチャンネルが有ると判定された場合（Ｓ１２１でＮＯ）には、処理がステップＳ１１５に戻され、ステップＳ１１５において他の周波数帯域情報が読み出され、ステップＳ１１５以降の処理が繰り返し実行される。全てのＶＨＦチャンネルの受信可否が判定されたと判定された場合（Ｓ１２１でＹＥＳ）には、処理が終了される。
【００６１】
このようにして、ＵＨＦ帯に含まれ、予め周波数帯域が設定された物理チャンネルであるＵＨＦチャンネル毎に、受信部１４を介して、それぞれ対応する周波数帯域のテレビジョン放送の受信可否が判定され、受信可能であると判定された場合に、受信部１４を介して、ＵＨＦチャンネル毎に、対応するテレビジョン放送が対象とする視聴者の居住する国の国名を識別する国名識別情報が取得される。そして、取得された国名識別情報の中から、最も多く取得された国名識別情報である最多国名情報が判定され、判定された最多国名情報が、デジタル放送受信機１が配設された国に対応する国名識別情報として設定されるため、国情報を的確に設定することができる。
【００６２】
すなわち、ＵＨＦ帯に含まれ、予め周波数帯域が設定された物理チャンネルであるＵＨＦチャンネルは、欧州の各国で同一の周波数帯域に設定されている（図３（ａ）参照）ため、ＵＨＦチャンネル毎に、テレビジョン放送の受信可否が判定され、受信可能であると判定された場合に、受信部１４を介して、ＵＨＦチャンネル毎に、対応するテレビジョン放送が対象とする視聴者の居住する国の国名を識別する国名識別情報が取得され、取得された国名識別情報の中から、最も多く取得された国名識別情報である最多国名情報が、デジタル放送受信機１が配設された国に対応する国名識別情報として設定されるので、ユーザが国情報を設定する必要はなく、国情報を的確に設定することができるのである。
【００６３】
つまり、例えば、特に国境に隣接する地域（例えば、フランスとドイツとの国境に隣接する地域）では、複数種類の国名識別情報（ここでは、フランスに対応する国名識別情報と、ドイツに対応する国名識別情報と）を有するテレビジョン放送が受信される場合があるが、最も多く取得された国名識別情報である最多国名情報が、該デジタル放送受信装置が配設された国に対応する国名識別情報として設定されるので、国情報を的確に設定することができるのである。
【００６４】
また、国毎の標準時を規定するテーブルであるＴＯＴ情報に含まれる国コード情報に基づいて、国名識別情報が取得されるため、国情報を更に的確に設定することができる。
【００６５】
すなわち、欧州のデジタル放送規格であるＥＴＳＩにおいて規定されているように、国毎の標準時を規定するテーブルであるＴＯＴ情報には、オフセット時間を示す記述子に国コード情報が含まれている（ＥＴＳＩ  ＥＮ  ３００  ４６８  Ｖ１．７．１（２００６−０５）参照）ため、ＴＯＴ情報に含まれる国コード情報に基づいて、国名識別情報が取得されるので、国情報を更に的確に設定することができるのである。
【００６６】
更に、１のＵＨＦチャンネルに、ユーザによって選択されるチャンネル番号に対応する論理チャンネル（ＬＣＮ：Ｌｏｇｉｃａｌ  Ｃｈａｎｎｅｌ  Ｎｕｍｂｅｒ）が複数個だけ含まれる場合には、論理チャンネル毎に、国名識別情報が取得されるため、国情報を更に的確に設定することができる。
【００６７】
加えて、複数の国名識別情報にそれぞれ対応付けてＶＨＦ帯に含まれる周波数帯域情報が周波数記憶部１２１に予め格納されており（図３（ｂ）、（ｃ）参照）、設定された国名識別情報に対応するＶＨＦ帯に含まれる周波数帯域を周波数記憶部１２１から読み出すことによって、ＶＨＦ帯に含まれる周波数帯域が設定される。そして、設定された周波数帯域に対応する物理チャンネルであるＶＨＦチャンネル毎に、受信部１４を介して、それぞれ対応する周波数帯域のテレビジョン放送の受信可否が判定されると共に、受信可能であると判定されたＶＨＦチャンネルに対応するチャンネル番号情報が、受信可能なテレビジョン放送に対応するチャンネル番号情報を格納するチャンネル記憶部１２２に記録されるため、受信可能なＶＨＦ帯に含まれる周波数帯域に対応するテレビジョン放送のチャンネル番号情報を的確に記録することができる。
【００６８】
すなわち、的確に設定された国名識別情報に対応するＶＨＦ帯に含まれる周波数帯域が設定され、設定された周波数帯域に対応する物理チャンネルであるＶＨＦチャンネル毎に、受信部１４を介して、それぞれ対応する周波数帯域のテレビジョン放送の受信可否が判定されると共に、受信可能であると判定されたＶＨＦチャンネルに対応するチャンネル番号情報が、受信可能なテレビジョン放送に対応するチャンネル番号情報を格納するチャンネル記憶部１２２に記録されるため、ＶＨＦ帯に含まれる周波数帯域のテレビジョン放送のチャンネル番号情報を的確に記録することができるのである。
【００６９】
つまり、例えば、特に国境に隣接する地域（例えば、フランスとドイツとの国境に隣接する地域）では、複数種類の国名識別情報（ここでは、フランスに対応する国名識別情報と、ドイツに対応する国名識別情報と）を有するテレビジョン放送が受信される場合があるが、的確に設定された国名識別情報に対応するＶＨＦ帯に含まれる周波数帯域が設定されるため、ＶＨＦチャンネルの周波数帯域が国毎に相違する場合であっても、的確なＶＨＦチャンネルの周波数帯域を設定することができるので、ＶＨＦ帯に含まれる周波数帯域のテレビジョン放送のチャンネル番号情報を的確に記録することができるのである。
【００７０】
また、受信部１４を介して受信される放送波のビットエラーレートが、予め設定された所定の閾値（例えば、１０-7）以下である場合に、受信可能であると判定されるため、的確に受信可否を判定することができる。
【００７１】
なお、本発明は、以下の形態にも適用可能である。
（Ａ）本実施形態では、デジタル放送受信装置が、デジタル放送を受信するデジタル放送受信機１である場合について説明したが、デジタル放送受信装置が、デジタル放送及びアナログ放送を受信する形態でもよい。
【００７２】
この場合には、以下の構成を備えることが好ましい。受信部１４が、アナログ方式のテレビジョン放送を受信可能に構成され、周波数記憶部１２１が、複数の国名識別情報にそれぞれ対応付けてアナログ放送の周波数帯域情報を予め格納し、帯域設定部１１５が、国名設定部１１４によって設定された国名識別情報に対応するアナログ放送の周波数帯域を、周波数記憶部１２１から読み出すことによって、アナログ放送の周波数帯域を設定し、受信可否判定部１１１が、帯域設定部１１５によって設定されたアナログ放送の周波数帯域毎に、受信部１４を介して、それぞれ対応する周波数帯域のアナログ放送の受信可否を判定すると共に、受信可能であると判定された周波数帯域に対応するチャンネル番号情報をチャンネル記憶部１２２に記録する。
【００７３】
この構成を備える場合には、周波数記憶部１２１に、複数の国名識別情報にそれぞれ対応付けてアナログ放送の周波数帯域情報が予め格納されている。そして、設定された国名識別情報に対応するアナログ放送の周波数帯域を、周波数記憶部１２１から読み出すことによって、アナログ放送の周波数帯域が設定され、設定されたアナログ放送の周波数帯域毎に、受信部１４を介して、それぞれ対応する周波数帯域のアナログ放送の受信可否が判定されると共に、受信可能であると判定された周波数帯域に対応するチャンネル番号情報がチャンネル記憶部１２２に記録されるため、アナログ放送のチャンネル番号情報を的確に記録することができる。
【００７４】
すなわち、的確に設定された国名識別情報に対応するアナログ放送の周波数帯域が設定され、設定された周波数帯域毎に、受信部１４を介して、それぞれ対応する周波数帯域のテレビジョン放送の受信可否が判定されると共に、受信可能であると判定されたアナログ放送に対応するチャンネル番号情報が、受信可能なテレビジョン放送に対応するチャンネル番号情報を格納するチャンネル記憶部１２２に記録されるため、アナログ放送のテレビジョン放送のチャンネル番号情報を的確に記録することができるのである。
【００７５】
つまり、例えば、特に国境に隣接する地域（例えば、フランスとドイツとの国境に隣接する地域）では、複数種類の国名識別情報（ここでは、フランスに対応する国名識別情報と、ドイツに対応する国名識別情報と）を有するテレビジョン放送が受信される場合があるが、的確に設定された国名識別情報に対応するアナログ放送の周波数帯域が設定されるため、アナログ放送の周波数帯域が国毎に相違する場合であっても、的確なアナログ放送の周波数帯域を設定することができるので、アナログ放送のテレビジョン放送のチャンネル番号情報を的確に記録することができるのである。
【００７６】
（Ｂ）本実施形態では、ＭＰＵ１１が、受信可否判定部１１１、国名取得部１１２、国名判定部１１３、国名設定部１１４、帯域設定部１１５等の機能部を備える場合について説明したが、受信可否判定部１１１、国名取得部１１２、国名判定部１１３、国名設定部１１４、及び、帯域設定部１１５の内、少なくとも１の機能部が、回路等のハードウェアによって実現されている形態でもよい。
【図面の簡単な説明】
【００７７】
【図１】は、本発明に係るデジタル放送受信機の構成の一例を示すブロック図である。
【図２】は、本発明に係るデジタル放送受信機における主要部の構成の一例を示すブロック図である。
【図３】は、周波数記憶部に格納された周波数帯域情報の一例を示す図表である。
【図４】は、デジタル放送受信機（主にＭＰＵ）の動作の一例を示すフローチャート（前半部）である。
【図５】は、デジタル放送受信機（主にＭＰＵ）の動作の一例を示すフローチャート（後半部）である。
【符号の説明】
【００７８】
１    デジタル放送受信機（デジタル放送受信装置）
１１    ＭＰＵ
１１１    受信可否判定部（受信可否判定手段）
１１２    国名取得部（国名取得手段）
１１３    国名判定部（国名判定手段の一部）
１１４    国名設定部（国名設定手段）
１１５    帯域設定部（帯域設定手段の一部）
１２    ＲＡＭ
１２１    周波数記憶部（周波数記憶手段）
１２２    チャンネル記憶部（チャンネル記憶手段）
１２３    国名記憶部（国名判定手段の一部）
１２４    最多国名記憶部（帯域設定手段の一部）
１４    受信部（受信手段）
【図１】
2009044552.tif 000003
【図２】
2009044552.tif 000004
【図３】
2009044552.tif 000005
【図４】
2009044552.tif 000006
【図５】
2009044552.tif 000007